(57)【要約】【課題】機器側のコネクタおよびケーブルコネクタの接続部に水が浸入することを抑制できるコネクタ防水構造を提供する。【解決手段】コネクタ防水構造２０は、コネクタ接続部１８の上方に配置された第２水受部２６と、第２水受部２６の上方において第２水受部２６の一部に重ねられた上防水カバー５１とを備えている。上防水カバー５１は第２水受部２６の取付部４５に取り付けられている。第２水受部２６は、排水部と、壁部とを有する。排水部の排水路３７は、上防水カバー５１の重なり部５５が重ねられる部位に設けられている。さらに、排水路３７は、重なり部５５および第２水受部２６間の空間から浸入する水を排出口から排水する。壁部は、排水路３７に沿って立設され、上防水カバーが重ねられる位置に配置されている。【選択図】図２
2018049796.tif 000002
【特許請求の範囲】
【請求項１】
ケーブルコネクタが接続されたコネクタ接続部の上方に配置される水受部と、
前記水受部の上方で、かつ、前記ケーブルコネクタが前記コネクタ接続部に接続されるコネクタ接続方向において、前記水受部の少なくとも一部に重ねられ、前記水受部の取付部に取り付けられる防水カバーと、を備え、
前記水受部は、
前記防水カバーおよび前記水受部間の空間から浸入する水を、前記コネクタ接続部の上方から離れた位置に排水する排水部と、
前記排水部に沿って立設された壁部と、
を有することを特徴とするコネクタ防水構造。
【請求項２】
前記排水部は、
前記コネクタ接続部の上方から離れた位置に排出口を有し、
前記空間側から前記排出口へ向けて下り勾配に形成されていることを特徴とする請求項１に記載のコネクタ防水構造。
【請求項３】
前記ケーブルコネクタが接続されるコネクタ接続方向において、ケーブルカバーに、前記防水カバーが離間した状態で重ねられ、
前記ケーブルカバーは、
該ケーブルカバーと前記防水カバーとの間の空間に対向する張出部を有することを特徴とする請求項１または請求項２に記載のコネクタ防水構造。
【請求項４】
前記防水カバーは、
前記コネクタ接続部を上方から覆う上防水カバーと、
前記コネクタ接続部を下方から覆う下防水カバーと、
に２分割されていることを特徴とする請求項１〜３のいずれか１項に記載のコネクタ防水構造。
【請求項５】
前記水受部は、
金属製の部材であり、前記防水カバーへ向けて延び、係止孔を有する前記取付部を備え、
前記防水カバーは、
樹脂製の部材であり、前記係止孔に係止される係止爪を備えることを特徴とする請求項１〜４のいずれか１項に記載のコネクタ防水構造。
【請求項６】
前記取付部は、
前記ケーブルコネクタが接続されるコネクタ接続方向に対して直交する向きに立設された第１取付部と、
前記第１取付部の向きに対して直交する向きに立設された第２取付部と、を備え、
前記係止爪は、
前記第１取付部の係止孔に、該第１取付部に交差する方向から係止する第１係止爪と、
前記第２取付部の係止孔に、該第２取付部に交差する方向から係止する第２係止爪と、を備え、
前記第２取付部の係止孔の幅寸法は、前記第２係止爪の幅寸法より大きいことを特徴とする請求項５に記載のコネクタ防水構造。
【請求項７】
前記防水カバーは、
前記第１取付部の係止孔に前記第１係止爪が係止された状態において、
前記第１取付部のコネクタ接続方向への移動を規制する第１リブと、
前記第２取付部のコネクタ接続方向に対して直交する方向への移動を規制する第２リブと、
を有することを特徴とする請求項６に記載のコネクタ防水構造。
【請求項８】
前記壁部は、
前記水受部の縁部を折り曲げたことにより形成されることを特徴とする請求項１〜７のいずれか１項に記載のコネクタ防水構造。
【請求項９】
前記取付部は、
前記壁部よりコネクタ接続方向に取り付けられていることを特徴とする請求項１〜８のいずれか１項に記載のコネクタ防水構造。
【発明の詳細な説明】
【技術分野】
【０００１】
本発明は、コネクタ防水構造に関するものである。
【背景技術】
【０００２】
コネクタ防水構造として、機器側のコネクタにケーブルコネクタが接続され、コネクタおよびケーブルコネクタの接続部が防水カバーで覆われるものが知られている。防水カバーは、一対の半割部材に分割されている。一対の半割部材は、係止突起に係止片が係止することにより一体に保持され、コネクタに組み付けられる。この状態において、コネクタおよびケーブルコネクタの接続部が一対の半割部材で覆われる（例えば、特許文献１参照）。
【先行技術文献】
【特許文献】
【０００３】
【特許文献１】特許第４７６５８１８号公報
【発明の概要】
【発明が解決しようとする課題】
【０００４】
しかし、特許文献１のコネクタ防水構造は、コネクタおよびケーブルコネクタの接続部に一対の半割部材が直接組み付けられている。このため、コネクタおよびケーブルコネクタの接続部に一対の半割部材の組付け箇所から雨水などが浸入することが考えられる。
【０００５】
そこで、この発明は、機器側のコネクタおよびケーブルコネクタの接続部に水が浸入することを抑制できるコネクタ防水構造を提供するものである。
【課題を解決するための手段】
【０００６】
上記の課題を解決するために、請求項１に記載した発明は、ケーブルコネクタ（例えば、実施形態のケーブルコネクタ１６）が接続されたコネクタ接続部（例えば、実施形態のコネクタ接続部１８）の上方に配置される水受部（例えば、実施形態の第２水受部２６）と、前記水受部の上方で、かつ、前記ケーブルコネクタが前記コネクタ接続部に接続されるコネクタ接続方向（例えば、実施形態のコネクタ接続方向Ａ）において、前記水受部の少なくとも一部（例えば、実施形態の排水路の少なくとも一部３７ｂ）に重ねられ、前記水受部の取付部（例えば、実施形態の取付部４５）に取り付けられる防水カバー（例えば、実施形態の防水カバー２２）と、を備え、前記水受部は、前記防水カバーおよび前記水受部間の空間（例えば、実施形態の空間８１）から浸入する水を、前記コネクタ接続部の上方から離れた位置に排水する排水部（例えば、実施形態の排水部２８）と、前記排水部に沿って立設された壁部（例えば、実施形態の壁部２９，１０４，１１４）と、を有することを特徴とする。
【０００７】
このように、水受部の排水部に上方から重ねるように防水カバーを設けた。また、排水部に沿って壁部を立設した。よって、防水カバーおよび水受部間の空間から浸入した水を、壁部を備えた排水部で受けることができる。さらに、排水部で受けた水を、排水部でコネクタ接続部から離れた位置に排水でき、排水部に水が溜まることを抑えることができる。これにより、コネクタ接続部に上方から水が浸入することを抑制できる。
なお、コネクタ接続部とは、機器側のコネクタとケーブルコネクタとが接続された部位をいう。また、コネクタ接続方向とは、機器側のコネクタにケーブルコネクタが接続される方向をいう。
【０００８】
請求項２に記載した発明は、前記排水部は、前記コネクタ接続部の上方から離れた位置に排出口（例えば、実施形態の排出口４２ａ）を有し、前記空間側から前記排出口へ向けて下り勾配に形成されていることを特徴とする。
【０００９】
このように、排水部を空間側から排出口へ向けて下り勾配に形成した。これにより、空間側から排水部に導かれた水をコネクタ接続部から離れた位置に効率よく排水できる。
【００１０】
請求項３に記載した発明は、前記ケーブルコネクタが接続されるコネクタ接続方向において、ケーブルカバー（例えば、実施形態のケーブルカバー８５）に、前記防水カバーが離間した状態で重ねられ、前記ケーブルカバーは、該ケーブルカバーと前記防水カバーとの間の空間（例えば、実施形態の上空間８７、下空間８８）に対向する張出部（例えば、実施形態の張出部８５ａ）を有することを特徴とする。
【００１１】
このように、コネクタ接続方向において、ケーブルカバーに対して防水カバーを離間させた。これにより、ケーブルカバーと防水カバーとの接触による騒音の発生を抑えることができる。
また、ケーブルカバーに張出部を形成し、張出部をケーブルカバーと防水カバーとの空間に対向させた。これにより、ケーブルカバーと防水カバーとの空間にコネクタ接続方向から水が浸入することを抑制できる。
【００１２】
請求項４に記載した発明は、前記防水カバーは、前記コネクタ接続部を上方から覆う上防水カバー（例えば、実施形態の上防水カバー５１）と、前記コネクタ接続部を下方から覆う下防水カバー（例えば、実施形態の下防水カバー５２）と、に２分割されていることを特徴とする。
【００１３】
このように、防水カバーを上防水カバーと、下防水カバーとに２分割した。これにより、防水カバーをコネクタ接続部に組み付ける作業が容易になり、防水カバーの組付作業性を高めることができる。
【００１４】
請求項５に記載した発明は、前記水受部は、金属製の部材であり、前記防水カバーへ向けて延び、係止孔（例えば、実施形態の係止孔４８，４９）を有する前記取付部を備え、前記防水カバーは、樹脂製の部材であり、前記係止孔に係止される係止爪（例えば、実施形態の係止爪６４）を備えることを特徴とする。
【００１５】
このように、防水カバーを樹脂製の部材とすることで、防水カバーの係止爪を可とう性に優れた爪とすることができる。よって、防水カバーの係止爪を取付部の係止孔に係止させた状態において、係止爪を係止孔に倣わせやすくなる。すなわち、係止爪により取付部に作用する応力を抑えることができる。
これにより、防水カバーの係止爪を取付部の係止孔に好適に係止させることができ、防水カバーを適正な位置に保持できる。
また、防水カバーの係止爪を取付部の係止孔に係止させることにより、防水カバーの、がたつきを抑えることができる。
【００１６】
請求項６に記載した発明は、前記取付部は、前記ケーブルコネクタが接続されるコネクタ接続方向に対して直交する向きに立設された第１取付部（例えば、実施形態の第１取付部４６，１０２）と、前記第１取付部の向きに対して直交する向きに立設された第２取付部（例えば、実施形態の第２取付部４７）と、を備え、前記係止爪は、前記第１取付部の係止孔（例えば、実施形態の係止孔４８）に、該第１取付部に交差する方向から係止する第１係止爪（例えば、実施形態の第１係止爪６８）と、前記第２取付部の係止孔（例えば、実施形態の係止孔４９）に、該第２取付部に交差する方向から係止する第２係止爪（例えば、実施形態の第２係止爪７５）と、を備え、前記第２取付部の係止孔の幅寸法は、前記第２係止爪の幅寸法より大きいことを特徴とする。
【００１７】
このように、取付部として、第１取付部と第２取付部とを備えた。また、第１取付部の向きに対して第２取付部を直交する向きに立設した。さらに、第２取付部の係止孔の幅寸法を第２係止爪の幅寸法より大きくした。
よって、第１取付部の係止孔で第２係止爪をコネクタ接続方向に対して位置決めした状態において、第２取付部や第２係止爪の組付公差を、第２取付部の係止孔と第２係止爪との間隔で吸収できる。これにより、第１取付部および第２取付部で防水カバーを所定位置に確実に組み付けることができる。
【００１８】
請求項７に記載した発明は、前記防水カバーは、前記第１取付部の係止孔に前記第１係止爪が係止された状態において、前記第１取付部のコネクタ接続方向への移動を規制する第１リブ（例えば、実施形態の第１リブ６９）と、前記第２取付部のコネクタ接続方向に対して直交する方向への移動を規制する第２リブ（例えば、実施形態の第２リブ７３）と、を有することを特徴とする。
【００１９】
このように、第１取付部のコネクタ接続方向への移動を第１リブで規制するようにした。さらに、第２取付部のコネクタ接続方向に対して直交する方向への移動を第２リブで規制するようにした。これにより、防水カバーをコネクタ接続方向と、コネクタ接続方向に対して直交する方向とに対して所定位置に位置決めした状態で組み付けることができる。
【００２０】
請求項８に記載した発明は、前記壁部は、前記水受部の縁部を折り曲げたことにより形成されることを特徴とする。
【００２１】
このように、水受部の縁部を折り曲げて壁部を形成することにより、壁部を容易に成形することができる。また、排水部および壁部を一部材で形成することができるので、排水部に導かれた水が、例えば、排水部と壁部との隙間から漏れることを抑えることができる。これにより、排水部に導かれた水を排出口から確実に排水することができる。
【００２２】
請求項９に記載した発明は、前記取付部は、前記壁部よりコネクタ接続方向に取り付けられていることを特徴とする。
【００２３】
このように、取付部を壁部よりコネクタ接続方向に取り付けることにより、取付部と係止爪との係止個所から浸入した水を排水部で受けることができる。これにより、取付部と係止爪との係止個所から流れ込んだ水がコネクタ接続部に浸入することを抑制できる。
【発明の効果】
【００２４】
この発明によれば、水受部の排水部の上方に防水カバーを重ね、排水部に沿って壁部を立設した。よって、防水カバーおよび水受部間の空間から浸入した水を排水部で受け、排水部でコネクタ接続部から離れた位置に排水できる。これにより、コネクタ接続部に水が浸入することを抑制できる。
【図面の簡単な説明】
【００２５】
【図１】本発明の第１実施形態におけるコネクタ防水構造を示す斜視図である。
【図２】本発明の第１実施形態におけるコネクタ防水構造から防水カバーを分解した状態を示す斜視図である。
【図３】本発明の第１実施形態におけるコネクタ防水構造から第２水受部を分解した状態を示す斜視図である。
【図４】本発明の第１実施形態におけるコネクタ防水構造の第２水受部を示す斜視図である。
【図５】本発明の第１実施形態における第２水受部に上防水カバーを取り付けた状態を示す断面図である。
【図６】本発明の第１実施形態におけるコネクタ防水構造の図１のＶＩＩ−ＶＩＩ線に沿う断面図である。
【図７】本発明の第１実施形態におけるコネクタ防水構造の図１のＶＩＩ−ＶＩＩ線に沿う断面図である。
【図８】本発明の第１実施形態におけるコネクタ防水構造の第１、第２の取付部に第１、第２の係止部が係止された状態を示す断面図である。
【図９】本発明の第１実施形態におけるコネクタ防水構造の防水カバーを前方から見た状態を示す断面図である。
【図１０】本発明の第２実施形態における水受部と上防水カバーとの関係を示す概略断面図である。
【図１１】本発明の第３実施形態における水受部と上防水カバーとの関係を示す概略断面図である。
【発明を実施するための形態】
【００２６】
次に、本発明の一実施形態を図面に基づいて説明する。図面において、矢印ＦＲは電力変換装置１０の前方、矢印ＵＰは電力変換装置１０の上方、矢印ＬＨは電力変換装置１０の左側方を示す。
【００２７】
（第１実施形態）
図１、図２に示すように、電力変換装置１０の右側壁１２にコネクタ１４が設けられている。すなわち、コネクタ１４は、機器側のコネクタである。機器側のコネクタ１４にケーブルコネクタ１６が接続される。ケーブルコネクタ１６は、ケーブル１７の一端部に設けられている。また、ケーブル１７の他端部がバッテリに電気的に接続されている。ケーブル１７は、例えば、ＤＣケーブル、制御コネクタ、三相コネクタ等筐体に取り付くシール機能を有したパネルロックコネクタである。
機器側のコネクタ１４にケーブルコネクタ１６が接続されることにより、電力変換装置１０とケーブルコネクタ１６とが電気的に接続されている。よって、電力変換装置１０は、ケーブル１７を介してバッテリに電気的に接続されている。
以下、機器側のコネクタ１４とケーブルコネクタ１６とが接続される部位をコネクタ接続部１８という。
【００２８】
電力変換装置１０は、ハイブリット車や電気自動車などに備えられている。電力変換装置１０には、内部に昇圧コンバータ、降圧コンバータやインバータなどが収納されている。昇圧コンバータは、バッテリの電圧を上げる部材である。インバータは、バッテリから供給される直流電圧を交流電圧に変換する部材である。
【００２９】
電力変換装置１０の右側壁１２にコネクタ防水構造２０が備えられている。
コネクタ防水構造２０は、機器側のコネクタ１４の上方に設けられる水受部２１と、水受部２１に重ねられてコネクタ接続部１８を覆う防水カバー２２とを備えている。
水受部２１は、機器側のコネクタ１４を上方から覆う第１水受部２５と、第１水受部２５に取り付けられる第２水受部２６とを備えている。第１水受部２５は、金属製の部材であり、電力変換装置１０の筐体１１が右側壁１２から張り出されることにより形成されている。第１水受部２５は、平面視矩形状に形成され、機器側のコネクタ１４の上部を上方から覆っている。これにより、機器側のコネクタ１４の上部から水が浸入することを第１水受部２５で抑えられる。
【００３０】
図３に示すように、第１水受部２５に第２水受部２６が取り付けられている。第２水受部２６は、金属製の部材であり、機器側のコネクタ１４に取り付けられる支持部２７と、支持部２７に一体に形成される排水部２８と、排水部２８に沿って立設される壁部２９とを有する。
支持部２７は、電力変換装置１０の右側壁１２から第１水受部２５の前辺２５ａを経て右側辺２５ｂの途中まで延びるように平面視クランク状に形成されている。支持部２７は、複数のボルト３２で前辺２５ａ、右側辺２５ｂの上方から機器側のコネクタ１４に取り付けられている。
【００３１】
第２水受部２６が機器側のコネクタ１４に取り付けられた状態において、支持部２７の内周縁２７ａが第１水受部２５の前辺２５ａおよび右側辺２５ｂに接触する。支持部２７の内周縁２７ａと前辺２５ａおよび右側辺２５ｂとの間にシール剤３４（図４参照）が充填されている。
よって、第２水受部２６と第１水受部２５との間から防水カバー２２の内部に水が浸入することを抑えることができる。
【００３２】
図４に示すように、支持部２７の外周縁２７ｂに沿って排水部２８が一体に形成されている。排水部２８は、支持部２７の外周縁２７ｂに沿って一体に形成される内壁部３６と、内壁部３６の下端から機器側のコネクタ１４の外方へ張り出される排水路３７とを有する。
内壁部３６は、支持部２７の外周縁２７ｂから下方へ向けて折り曲げられている。排水路３７は、内壁部３６の下端から機器側のコネクタ１４の外方へ略水平に張り出されている。
【００３３】
排水路３７は、コネクタ接続方向Ａに対して直交する方向へ延びる第１排水路４１と、第１排水路４１の右端部４１ａからコネクタ接続方向Ａへ延びる第２排水路４２を有する。第２排水路４２は、コネクタ接続部１８の上方においてコネクタ接続方向Ａに延びている。また、第２排水路４２は、コネクタ接続方向Ａの後端に排出口４２ａを有する。排出口４２ａは、コネクタ接続部１８の上方から後方へ離れた位置Ｐ１（図６参照）に形成されている。
コネクタ接続方向Ａは、機器側のコネクタ１４にケーブルコネクタ１６が接続される方向であり、電力変換装置１０の前後方向に沿った方向である。
【００３４】
排水路３７の外側辺３７ａに沿って壁部２９が設けられている。壁部２９は、排水路３７の外側辺３７ａから上方に折り曲げられることにより、排水路３７の外側辺３７ａから一体に立設されている。
排水路３７の外側辺３７ａを折り曲げて壁部２９を形成することにより、壁部２９を容易に成形することができる。また、排水路３７および壁部２９を一部材で形成することができる。よって、排水路３７に導かれた水が、例えば、排水路３７と壁部２９との隙間から漏れることを抑えることができる。これにより、排水路３７に導かれた水を排出口４２ａから確実に排水できる。
【００３５】
図５、図６に示すように、排水路３７は、排出口４２ａへ向けて下り勾配に傾斜されている。具体的には、第１排水路４１は、壁部２９から内壁部３６へ向けて下り勾配に傾斜されている。また、第２排水路４２は、前端部４２ｂから排出口４２ａへ向けて下り勾配に傾斜されている。第２排水路４２の前端部４２ｂは、第１排水路４１の右端部４１ａ（図４参照）に連結されている。
よって、排水路３７に導かれた水は、排水路３７を経て排出口４２ａへ円滑に案内され、コネクタ接続部１８の上方から離れた位置に効率よく排水される。
【００３６】
図４に戻って、排水路３７には取付部４５が設けられている。この取付部４５は、第１排水路４１に設けられる第１取付部４６と、第２排水路４２に設けられる第２取付部４７とを備えている。第１取付部４６、第２取付部４７は、壁部２９より内壁部３６側に取り付けられている。すなわち、第１取付部４６は、壁部２９よりコネクタ接続方向Ａに取り付けられている。
【００３７】
具体的には、第１取付部４６は、基部４６ａが第１排水路４１にスポット溶接や接着剤などで上方から接合されている。この状態において、第１取付部４６は、防水カバー２２の第１係止部６５（図２参照）に向けて上方へ立設されている。また、第１取付部４６は、コネクタ接続方向Ａに対して直交する方向（すなわち、左右方向）を向いて配置されている。第１取付部４６は、矩形状に形成された係止孔４８を有する。
また、第２取付部４７は、第１取付部４６と同様に、基部４７ａが第２排水路４２にスポット溶接や接着剤などで上方から接合されている。この状態において、第２取付部４７は、防水カバー２２の第２係止部６６（図２参照）に向けて上方へ立設されている。第２取付部４７は、第１取付部４６の向きに対して直交する向きに配置されている。第２取付部４７は、矩形状に形成された係止孔４９を有する。
【００３８】
ここで、第１取付部４６の基部４６ａや、第２取付部４７の基部４７ａが排水路３７にスポット溶接や接着剤などで上方から接合されている。よって、排水路３７に基部４６ａ，４７ａを取り付けるための取付孔を形成する必要がない。これにより、排水路３７に浸入した水が取付孔からコネクタ接続部１８側に漏れることを抑制できる。
【００３９】
図２、図７に示すように、第１取付部４６と第２取付部４７とに防水カバー２２が取り付けられている。第１取付部４６と第２取付部４７とに防水カバー２２が取り付けられることにより、防水カバー２２が第１取付部４６と第２取付部４７を介して第２水受部２６に支持される。
なお、第１取付部４６、第２取付部４７については後で詳しく説明する。
【００４０】
防水カバー２２は、コネクタ接続部１８を上方から覆う上防水カバー５１と、コネクタ接続部１８を下方から覆う下防水カバー５２とに２分割されている。
上防水カバー５１は、樹脂製の部材であり、コネクタ接続部１８を上方から覆う上カバー本体５４と、上カバー本体５４の後端部に設けられた重なり部５５と、上カバー本体５４の両側部に設けられたカバー係止爪５６とを有する。電力変換装置１０の右側壁１２側のカバー係止爪５６は図示せず。上カバー本体５４は、断面半円弧状に形成されている。
【００４１】
下防水カバー５２は、樹脂製の部材であり、コネクタ接続部１８を下方から覆う下カバー本体６１と、下カバー本体６１の両側部に設けられたカバー嵌合部６２とを有する。下カバー本体６１は、断面半円弧状に形成されている。
上防水カバー５１のカバー係止爪５６が下防水カバー５２のカバー嵌合部６２に嵌合された状態で、カバー係止爪５６がカバー嵌合部６２に係止される。これにより、上防水カバー５１および下防水カバー５２が筒状に連結され、上防水カバー５１および下防水カバー５２でコネクタ接続部１８が全周に亘って覆われる。
このように、防水カバー２２は、上防水カバー５１と、下防水カバー５２とに２分割されている。これにより、防水カバー２２をコネクタ接続部１８に組み付ける作業が容易になり、防水カバー２２の組付作業性を高めることができる。
【００４２】
図５、図８に示すように、重なり部５５は、排水路３７に倣って形成されている。重なり部５５は、第２水受部２６の上方でコネクタ接続方向Ａにおいて、排水路３７の少なくとも一部３７ｂに上方から重ねられるように配置されている。
重なり部５５は、電力変換装置１０寄りに設けられた第１係止部６５と、排水路３７の排出口４２ａ寄りの後端部に設けられた第２係止部６６とを備えている。
【００４３】
第１係止部６５は、第１取付部４６に対応する位置に形成される嵌合孔６７と、嵌合孔６７の内部に設けられる第１係止爪６８とを有する。
第１係止部６５の嵌合孔６７は上下方向に貫通されている。嵌合孔６７には、第１リブ６９が形成されている。第１リブ６９は、一対の前リブ７１と、一対の後リブ７２とを有する。一対の前リブ７１は、嵌合孔６７の前壁面に、幅方向へ間隔をおいて形成されている。一対の後リブ７２は、嵌合孔６７の後壁面に、一対の前リブ７１に対向するように形成されている。一対の後リブ７２間に第１係止爪６８が形成されている。
【００４４】
一対の前リブ７１と一対の後リブ７２は、第１取付部４６が差し込み可能に前後方向に間隔をおいて配置されている。一対の前リブ７１と一対の後リブ７２との間に第１取付部４６が差し込まれることにより、第１取付部４６の係止孔４８に第１係止爪６８が係止する。これにより、第１取付部４６に第１係止部６５が取り付けられる。この状態において、第１取付部４６は、一対の前リブ７１と一対の後リブ７２とにより前後方向（すなわち、コネクタ接続方向Ａ）への移動が規制される。
ここで、第１取付部４６の係止孔４８は、幅寸法Ｌ１が第１係止爪６８の幅寸法Ｌ２より大きく形成されている。
【００４５】
第２係止部６６は、第１係止部６５の向きに対して直交するように配置されている。すなわち、第２係止部６６は、第２取付部４７に対応する位置に形成される嵌合孔７４と、嵌合孔７４の内部に設けられる第２係止爪７５とを有する。
第２係止部６６の嵌合孔７４は、上下方向に貫通されている。嵌合孔７４には、第２リブ７３が形成されている。第２リブ７３は、一対の右リブ７６と、一対の左リブ７７とを有する。一対の右リブ７６は、嵌合孔７４の右側壁面に、前後方向へ間隔をおいて形成されている。一対の左リブ７７は、嵌合孔７４の左側壁面に、一対の右リブ７６に対向するように形成されている。一対の左リブ７７間に第２係止爪７５が形成されている。
【００４６】
一対の右リブ７６と一対の左リブ７７は、第１取付部４６が差し込み可能に幅方向に間隔をおいて配置されている。一対の右リブ７６と一対の左リブ７７との間に第２取付部４７が差し込まれることにより、第２取付部４７の係止孔４９に第２係止爪７５が係止する。これにより、第２取付部４７に第２係止部が取り付けられる。この状態において、第２取付部４７が、一対の右リブ７６と一対の左リブ７７とにより左右方向（すなわち、コネクタ接続方向Ａに対して直交する方向）幅方向への移動が記載される。
ここで、第２取付部４７の係止孔４９は、幅寸法Ｌ３が第２係止爪７５の幅寸法Ｌ４より大きく形成されている。
第１係止爪６８および第２係止爪７５で係止爪６４が構成される。
【００４７】
このように、取付部４５として、第１取付部４６と第２取付部４７とを備えた。また、第１取付部４６の向きに対して第２取付部４７を直交する向きに配置した。さらに、第２取付部４７の係止孔４９の幅寸法Ｌ３を第２係止爪７５の幅寸法Ｌ３より大きくした。
よって、第１取付部４６の係止孔４８で第１係止爪６８を前後方向に対して位置決めした状態において、第２取付部４７や第２係止爪２の組付公差を、第２取付部４７の係止孔４９と第２係止爪７５との間隔で吸収できる。
【００４８】
一方、第１取付部４６の係止孔４８の幅寸法Ｌ１は、第１係止爪６８の幅寸法Ｌ２より大きく形成されている。よって、第２取付部４７の係止孔４９で第２係止爪７５を幅方向に対して位置決めした状態において、第１取付部４６や第１係止爪６８の組付公差を、第１取付部４６の係止孔４８と第１係止爪６８との間隔で吸収できる。
これにより、防水カバー２２は、第１取付部４６および第１係止部６５で前後方向に位置決めされ、かつ、第２取付部４７および第２係止部６６で左右方向に位置決めされる。これにより、防水カバー２２は所定位置に確実に組み付けられる。
【００４９】
ここで、上防水カバー５１を樹脂製の部材とすることで、第１係止爪６８、第２係止爪７５を可とう性に優れた爪とすることができる。よって、第１係止爪６８を第１取付部４６の係止孔４８に係止させた状態において、第１係止爪６８を係止孔４８に倣わせやすくなる。すなわち、第１係止爪６８により第１取付部４６に作用する応力を抑えることができる。
同様に、第２係止爪７５を第２取付部４７の係止孔４９に係止させた状態において、第２係止爪７５を係止孔４９に倣わせやすくなる。すなわち、第２係止爪７５により第２取付部４７に作用する応力を抑えることができる。
【００５０】
よって、第１係止爪６８を第１取付部４６の係止孔４８に好適に係止させることができ、上防水カバー５１を適正な位置に保持できる。また、第２係止爪７５を第２取付部４７の係止孔４９に好適に係止させることができる。
これにより、上防水カバー５１を適正な所定位置に一層良好に組み付けることができる。
さらに、第１係止爪６８を第１取付部４６の係止孔４８に好適に係止させ、第１係止爪６８を第１取付部４６の係止孔４８に好適に係止させることにより、上防水カバーの、がたつきを抑えることができる。
【００５１】
さらに、第１取付部４６、第２取付部４７は、壁部２９より内壁部３６側に取り付けられている。このように、第１取付部４６、第２取付部４７を壁部２９より内壁部３６側に取り付けることにより、第１取付部４６と嵌合孔６７との係止個所や、第２取付部４７と嵌合孔７４との係止個所から浸入した水を排水路３７で受けることができる。
これにより、第１取付部４６と嵌合孔６７との係止個所や、第２取付部４７と嵌合孔７４との係止個所から流れ込んだ水がコネクタ接続部１８に浸入することを抑制できる。
【００５２】
ところで、第１取付部４６と第２取付部４７とは、それぞれの基部４６ａ，４７ａが排水路３７にスポット溶接や接着剤などで上方から接合されている。よって、第１取付部４６と第２取付部４７とを機器側のコネクタ１４に直接位置決めすることが難しい。そこで、第２水受部２６を機器側のコネクタ１４に取り付ける複数のボルト３２の一つを、第１取付部４６および第２取付部４７の位置決め部材として用いることにした。以下、複数のボルト３２の一つを「位置決めボルト３２Ａ」して説明する。
【００５３】
位置決めボルト３２Ａは機器側のコネクタ１４に取り付けられることにより、機器側のコネクタ１４に対して位置決めボルト３２Ａが位置決めされる。位置決めボルト３２Ａに対して第１取付部４６と第２取付部４７とを位置決めすることにより、第１取付部４６と第２取付部４７とを機器側のコネクタ１４に対して位置決めことができる。
これにより、第１取付部４６、第２取付部４７に、防水カバー２２の第１係止部６５、第２係止部６６が係止されることにより、防水カバー２２が機器側のコネクタ１４に対して所定位置に位置決めされた状態に取り付けられる。
【００５４】
この状態において、重なり部５５は、支持部２７に対して所定間隔Ｓ１だけ離れた位置に配置されている。重なり部５５と支持部２７との間には空間８１が形成されている。すなわち、上防水カバー５１の重なり部５５は、第１排水路４１の前半部と、第２排水路４２の右半部に上方から重ね合される。また、壁部２９は、重なり部５５が上方から重ね合される位置に配置されている。
これにより、重なり部５５と支持部２７との間の空間８１から矢印Ｂの如く浸入した水を排水路３７で受けることができる。
【００５５】
ここで、排水路３７の外側辺３７ａに沿って壁部２９が立設されている。よって、重なり部５５と支持部２７との間の空間８１から浸入した水を、排水路３７から流出することを壁部２９で抑えることができる。これにより、重なり部５５と支持部２７との間の空間８１から浸入した水を、排水路３７で良好に受けることができる。
さらに、排水路３７で受けた水を排出口４２ａから矢印Ｃ（図６参照）の如く排水できる。よって、排水路３７でコネクタ接続部１８から離れた位置に排水でき、排水路３７に水が溜まることを抑えることができる。これにより、コネクタ接続部１８に上方から水が浸入することを抑制できる。
【００５６】
図１に示すように、防水カバー２２の上防水カバー５１は、重なり部５５が第２水受部２６に対向する部位である。この重なり部５５を第１水受部２５に接触させて、接触部にシール剤を充填することが考えられる。しかし、重なり部５５を第１水受部２５に接触させる場合、重なり部５５を第１水受部２５に接触させる部位の形状が複雑になる。加えて、上防水カバー５１は樹脂製の部材であり、複雑な形状に形成することが難しい。このため、重なり部５５と第１水受部２５との接着部にシール材を充填しても、接着部のシール性を確保することは難しい。
そこで、重なり部５５の第２水受部２６を配置して、第２水受部２６で水を受けるようにした。これにより、第２水受部２６と重なり部５５との間から浸入する水を、簡単な構成で確実に受けることができる。
【００５７】
図９に示すように、防水カバー２２が第１取付部４６、第２取付部４７（図２参照）に取り付けられた状態において、上防水カバー５１の左端部５１ａが電力変換装置１０の右側壁１２に接触する。上防水カバー５１の左端部５１ａと電力変換装置１０の右側壁１２との間にシール剤３４が充填されている。
よって、上防水カバー５１の左端部５１ａと電力変換装置１０の右側壁１２との間から防水カバー２２の内部に水が浸入することを抑えることができる。
【００５８】
図７に戻って、機器側のコネクタ１４にケーブルコネクタ１６がコネクタ接続方向Ａから接続されている。機器側のコネクタ１４とケーブルコネクタ１６とのコネクタ接続部１８が排水路３７（特に、第１排水路４１）の下方に配置されている。
また、ケーブルコネクタ１６にケーブル１７が接続され、ケーブル１７がケーブルカバー８５で覆われている。ケーブルカバー８５は、ケーブルカバー８５の外側に張り出される張出部８５ａを有する。ケーブルカバー８５は、ケーブルコネクタ１６から前方へ向けて延びている。
【００５９】
この状態において、防水カバー２２が第１取付部４６、第２取付部４７（図４参照）に取り付けられる。防水カバー２２が取り付けられた状態において、上防水カバー５１の前端部５１ｂは、コネクタ接続方向Ａにおいてケーブルコネクタ１６から離間した状態でケーブルカバー８５に上方から重ねられている。
また、下防水カバー５２の前端部５２ａは、コネクタ接続方向Ａにおいてケーブルコネクタ１６から離間した状態で下方から重ねられている。
【００６０】
このように、ケーブルカバー８５に対して上防水カバー５１の前端部５１ｂを離間させた。また、ケーブルカバー８５に対して下防水カバー５２の前端部５２ａを離間させた。すなわち、防水カバー２２の前端部（すなわち、前端部５１ｂ，５２ａ）は、ケーブルカバー８５に対して離間されている。
よって、ケーブルカバー８５と上防水カバー５１の前端部５１ｂとの接触や、ケーブルカバー８５と下防水カバー５２の前端部５２ａとの接触による騒音の発生を抑えることができる。
ここで、ケーブルカバー８５の張出部８５ａが、ケーブルカバー８５と上防水カバー５１の前端部５１ｂとの上空間８７や、ケーブルカバー８５とした下防水カバー５２の前端部５２ａとの下空間８８に対向されている。これにより、上空間８７や下空間８８にコネクタ接続方向Ａから水が浸入することをケーブルカバー８５の張出部８５ａで抑制できる。
【００６１】
つぎに、第２実施形態のコネクタ防水構造１００、および第３実施形態のコネクタ防水構造１１０を図１０、図１１に基づいて説明する。なお、第２実施形態、第３実施形態において、第１実施形態のコネクタ防水構造２０と同一類似部材については同じ符号を付して詳しい説明を省略する。
【００６２】
（第２実施形態）
図１０に示すように、コネクタ防水構造１００は、第１水受部２５に取り付けられる第１取付部１０２と、排水路３７に設けられた壁部１０４とを備えたもので、その他の構成は第１実施形態のコネクタ防水構造２０と同様である。
第１取付部１０２は、壁部１０４よりコネクタ接続方向Ａに配置されている。具体的には、第１取付部１０２は、第１水受部２５に取り付けられたもので、その他の構成は、第１実施形態の第１取付部４６と同様である。第１取付部１０２に上防水カバー５１の第１係止部６５が係止される。よって、上防水カバー５１が第１取付部１０２を介して第１水受部２５で支持される。
【００６３】
ここで、第１水受部２５は、電力変換装置１０の筐体１１と一体に形成されている。よって、第１水受部２５は強度、剛性が十分に確保されている。これにより、第１水受部２５で上防水カバー５１が強固に支持される。
また、壁部１０４は、排水路３７の外側辺３７ａより後方に設けられている。よって、壁部１０４の取付位置を広範囲に確保できる。これにより、例えば、壁部１０４が上防水カバー５１などに干渉しない個所を選択でき、設計の自由度を高めることができる。
なお、壁部１０４は、第１取付部１０２よりも排水路３７の外側辺３７ａ側に配置されることが好ましい。第１取付部１０２よりも排水路３７の外側辺３７ａ側に壁部１０４を配置することにより、第１取付部１０２から浸入した水を壁部１０４で受けることができる。
【００６４】
（第３実施形態）
図１１に示すように、コネクタ防水構造１１０は、水受部１１２と、排水路３７の外側辺３７ａから折り曲げられた壁部１１４とを備えたもので、その他の構成は第１実施形態のコネクタ防水構造２０と同様である。
水受部１１２は、第１実施形態の第１水受部２５と第２水受部２６とが一体に形成されたもので、その他の構成は第１実施形態の第１水受部２５、第２水受部２６と同様である。
【００６５】
第１実施形態の第１水受部２５と第２水受部２６とを一体に形成して水受部１１２とすることにより、部品点数を減らすことができる。また、第１水受部２５と第２水受部２６との隙間に充填するシール剤３４を除去できる。
さらに、壁部１１４は排水路３７の外側辺３７ａから上向きに折り曲げられて形成されている。これにより、水受部１１２と壁部１１４とを一部材で形成することができ、部品点数を一層減らすことができる。
【００６６】
なお、本発明の技術範囲は上述した実施形態に限定されるものではなく、本発明の趣旨を逸脱しない範囲において種々の変更を加えることが可能である。
【００６７】
例えば、前記第１実施形態では、張出部８５ａを防水カバー２２の内部に配置した例について説明したが、これに限らないで、張出部８５ａを防水カバー２２の外側に配置することも可能である。
この場合においても、張出部８５ａで上空間８７や下空間８８にコネクタ接続方向Ａから水が浸入することを抑制できる。
【００６８】
また、前記第１実施形態では、第２水受部２６と上防水カバー５１とを個別に形成した例について説明したが、これに限定するものではない。例えば、第２水受部２６および上防水カバー５１を樹脂製の部材とし、第２水受部２６と上防水カバー５１との２部材を樹脂製のヒンジを介して一体の構成とすることも可能である。
【符号の説明】
【００６９】
１０……電力変換装置
１６……ケーブルコネクタ
１７……ケーブル
１８……コネクタ接続部
２０，１００，１１０…コネクタ防水構造
２１，１１２…水受部
２２……防水カバー
２５……第１水受部
２６……第２水受部
２８……排水部
２９，１０４，１１４…壁部
３７ｂ…排水路の少なくとも一部（水受部の少なくとも一部）
３７……排水路
４１……第１排水路
４２……第２排水路
４２ａ…排出口
４５……取付部
４６，１０２…第１取付部
４７……第２取付部
４８……第１取付部の係止孔
４９……第２取付部の係止孔
５１……上防水カバー
５１ｂ…上防水カバーの前端部（防水カバーの前端部）
５２……下防水カバー
５２ａ…下防水カバーの前端部（防水カバーの前端部）
６４……係止爪
６５……第１係止部
６６……第２係止部
６８……第１係止爪
７５……第２係止爪
８１……空間
８５……ケーブルカバー
８７……上空間（空間）
８８……下空間（空間）
８５ａ…張出部
Ａ………コネクタ接続方向
Ｌ１……第１取付部の係止孔の幅寸法
Ｌ２……第１係止爪の係止孔の幅寸法
Ｌ３……第２取付部の係止孔の幅寸法
Ｌ４……第２係止爪の係止孔の幅寸法
Ｐ１……コネクタ接続部の上方から離れた位置
【図１】
2018049796.tif 000003
【図２】
2018049796.tif 000004
【図３】
2018049796.tif 000005
【図４】
2018049796.tif 000006
【図５】
2018049796.tif 000007
【図６】
2018049796.tif 000008
【図７】
2018049796.tif 000009
【図８】
2018049796.tif 000010
【図９】
2018049796.tif 000011
【図１０】
2018049796.tif 000012
【図１１】
2018049796.tif 000013